(57)【要約】【課題】  両側板の下端のヒンジピンを安定して着脱自在かつ回動自在に保持できる保持機構を提供すること。【解決手段】  一方に綴棒１ａを、他方に綴管１ｂを備え、各下端に直列二本のヒンジピン３を備えた一対の側板１と、両側部に側板１のヒンジピン３を保持する保持機構を備えた基板２とからなる。保持機構の固定保持部を、基板２の両側のヒンジ受け板６とその各前端に立ち上げた前端保持片６ａとで構成し、保持機構の可動保持部を、基板２の裏面側両側部に位置する可動片９とこれらを側部外方に進出させる一対のコイルバネ１０とで構成し、各可動片９を、一対のヒンジ受け板６の間に突出する操作部１１と、その両側に位置し、各ヒンジ受け板６の上面上に、これと共にその上のヒンジピン３を抱持保持すべく、進退自在に進出する可動抱え片１２とで構成する。【選択図】  図１
2005041111.tif 000002
【特許請求の範囲】
【請求項１】
相互に対面する一方には綴棒を備え、他方には該綴棒に嵌脱自在に嵌合する綴管を備え、かつ各々の下端に直列に配した二本のヒンジピンを備えた一対の側板と、該側板を両側部に立上げる基板であって、上記一対の側板の各下端のヒンジピンを各々着脱自在かつ回動自在に保持する保持機構を備えた基板とで構成した両開き構造のファイル用バインダの綴金具に於いて、
前記保持機構を、固定保持部と、可動保持部とで構成し、
前記固定保持部を、前記基板の両側部に垂下した二対の垂片の各一対のそれに構成したヒンジ受け板と、その各前端に少なくともその上部が斜め上方に向けて立ち上がった前端保持片と、該ヒンジ受け板の各後端から基板下方向に延長した補助案内片とで構成し、
前記可動保持部を、各々前記基板の裏面側両側部に位置する一対の対称形の可動片と、その間に配して該一対の可動片を各々基板の対応する側部外方に向かって進出させるべく作用する一対のバネ部材とで構成し、
更に前記各可動片を、前記一対のヒンジ受け板の間に進退自在に突出する操作部と、その両側に配した二つの延長片と、該各延長片の前端に構成した逆Ｖ字状の可動抱え片であって、各ヒンジ受け板の上面上に、その上に位置するヒンジピンを該ヒンジ受け板と共に抱持状態に保持すべく、進退自在に進出する可動抱え片とで構成したファイル用バインダの綴金具。
【請求項２】
前記基板の両側部の各一対の垂片に、その各々外側の垂片から前記ヒンジ受け板の側端に沿って突出する規制片であって、前記ヒンジ受け板上にヒンジピンが載った状態でこれを備えた側板が該ヒンジピンの軸方向に動くのを規制する規制片を構成した請求項１のファイル用バインダの綴金具。
【請求項３】
前記各可動片の両可動抱え片の外側部に、基板の裏面側を向けて突出させ、かつその先端を小円板状に形成したバネ端連結部を構成し、他方、前記バネ部材として、コイルバネを採用し、二つのコイルバネの両端を、各々二つの可動片の相互に対称の位置に位置するバネ端連結部相互の先端に外装結合することとした請求項１又は２のファイル用バインダの綴金具。
【請求項４】
前記可動片の両延長片の外側端にその上端が基板の裏面に接することにより、そのガタつきを防止するガタつき防止片を立ち上げた請求項１、２又は３のファイル用バインダの綴金具。
【請求項５】
前記可動片の両延長片の後端に変形防止片を垂下させた請求項１、２、３又は４のファイル用バインダの綴金具。
【請求項６】
前記操作部を門型の操作部本体と、その前端から垂下した操作受け片とで構成し、該操作部本体の上面に案内用突部又は凹部を構成し、他方これらと上下対応する前記基板の部位に該突部又は凹部にスライド自在に嵌合する案内用凹部又は突部を構成した請求項１、２、３、４又は５のファイル用バインダの綴金具。
【発明の詳細な説明】
【技術分野】
【０００１】
本発明は、バインダ本体の背表紙部内面等に取り付け、これによって文書類を綴じるために使用する綴金具に関し、特に、基板の両側部に立ち上げた一対の側板の各下端のヒンジピンを、各々着脱自在かつ回動自在に保持する保持機構を備えた両開き構造のファイル用バインダの綴金具に関する。
【背景技術】
【０００２】
この種のファイル用バインダの綴金具では、基板の両側部に立ち上げた側板の両方を必要に応じて該基板から取り外すことのできる両開き構造のそれが提供されている。
【０００３】
このような両開き構造の綴金具には種々のタイプの物があるが、特に本発明に関連する物の一つに「基板の左右両側端部にそれぞれ開閉し得るように枢着した蓋板の各中央部に端縁から開口部を設け、前記両蓋板間の基板上に設置した平面ハ字形に成る発条部又は蛇行形状のバネ部材と蓋体に枢着する掛止部とからなる弾性部材を設け、この弾性部材の掛止部の外側中央部にレバーを設け、このレバーを前記開口部に介装せしめると共にレバーを押圧することにより弾性部材の外側辺部の一部を基板の外側縁部の一部との係合から開放して蓋板の開口及び離脱を行うように成るパイプファイル綴じ具の開閉装置」がある（特許文献１）。
【０００４】
他の一つには、「一方にパイプが固着され、他方に前記パイプに挿通するロッドが固着され、かつそれぞれの端縁にヒンジ部が設けられる一対の押さえ板からなる紙片挟持部と、前記各押さえ板の前記ヒンジ部の各々と個別に係合・離脱するべくロック位置とロック解除位置間で変位可能な一対のロック部材を保持してファイルの背表紙の内面に固着されるホルダ部とを有する両開きパイプファイルの綴じ具であって、
前記ホルダ部に於ける前記背表紙の内面に接合される部分が金属板を打ち抜き加工して形成された金属部材からなり、
該金属部材に、前記押さえ板の挿入限度位置を規定するための水平耳片と、前記ロック部材に係合した状態での前記押さえ板の縦方向位置を規定するための垂直耳片と、前記ヒンジ部を抜去する方向への力が加わった際の前記ロック部材の移動を規制するための孔を備えたヒンジ係止片とを設けた両開きパイプファイルの綴じ具」がある（特許文献２）。
【０００５】
前記特許文献１のパイプファイル綴じ具の開閉装置及び特許文献２の両開きパイプファイルの綴じ具は、いずれも概ね優れた構成を持つものであるということができるが、前者の弾性部材及び後者のロック部材には、いずれも案内手段が備えられていないため、進退動作をする際に、必ずしも基板の側面と平行状態を保ちつつ移動することができない。バネ材は左右のそれが完全にバランスを保持することは不可能に近いし、各部材相互の接触部位の摩擦抵抗も均一ではないため、案内部材なしでは、これは明らかである。
【０００６】
また特に特許文献１のパイプファイル綴じ具の開閉装置では、その弾性部材が基板上に露出するものであるため、これらが使用中に外部の何らかのものに接触して故障の原因となることを否定しがたい面もある。
【０００７】
【特許文献１】特許第２６２６８７７号公報
【特許文献２】特許第２９４５２８１号公報
【発明の開示】
【発明が解決しようとする課題】
【０００８】
本発明は、以上のような従来のファイル用バインダに於ける問題点に鑑み、両側板の下端のヒンジピンを着脱自在かつ回動自在に保持する保持機構の内、可動部側の構成要素を、常時、基板側部と平行状態を保持しつつ進退移動可能に構成すると共に、ヒンジピンを保持した状態で、その軸方向、上下方向及び前後方向等のガタ付きをなくし、これによって両側板を安定状態に保持できるファイル用バインダの綴金具を提供することを解決の課題とする。
【課題を解決するための手段】
【０００９】
本発明の１は、相互に対面する一方には綴棒を備え、他方には該綴棒に嵌脱自在に嵌合する綴管を備え、かつ各々の下端に直列に配した二本のヒンジピンを備えた一対の側板と、該側板を両側部に立上げる基板であって、上記一対の側板の各下端のヒンジピンを各々着脱自在かつ回動自在に保持する保持機構を備えた基板とで構成した両開き構造のファイル用バインダの綴金具に於いて、
前記保持機構を、固定保持部と、可動保持部とで構成し、
前記固定保持部を、前記基板の両側部に垂下した二対の垂片の各一対のそれに構成したヒンジ受け板と、その各前端に少なくともその上部が斜め上方に向けて立ち上がった前端保持片と、該ヒンジ受け板の各後端から基板下方向に延長した補助案内片とで構成し、
前記可動保持部を、各々前記基板の裏面側両側部に位置する一対の対称形の可動片と、その間に配して該一対の可動片を各々基板の対応する側部外方に向かって進出させるべく作用する一対のバネ部材とで構成し、
更に前記各可動片を、前記一対のヒンジ受け板の間に進退自在に突出する操作部と、その両側に配した二つの延長片と、該各延長片の前端に構成した逆Ｖ字状の可動抱え片であって、各ヒンジ受け板の上面上に、その上に位置するヒンジピンを該ヒンジ受け板と共に抱持状態に保持すべく、進退自在に進出する可動抱え片とで構成したファイル用バインダの綴金具である。
【００１０】
前記綴金具は、一対の側板の各下端のヒンジピンを各々着脱自在かつ回動自在に保持する保持機構以外の部分については、特に限定されない。従来の構成をそのまま採用することも可能であり、或いは、特別な構成を採用することも可能である。
【００１１】
前記一対の側板は、前記のように、その一方には綴棒を、他方には綴管を備えるものであるが、その綴管及び綴棒は、それぞれ対応する側板に一体に構成し、若しくは別体に製造したものをそれぞれ取り付ける構成とすることができる。側板の下端に構成するヒンジピンも、それぞれの下端に一体に構成することも別体に構成したそれを取り付ける構成とすることも可能である。いずれも前者の構成が好ましい。
【００１２】
前記固定保持部の二つのヒンジ受け板は、基板の側部下方に左右対称の位置関係で配置するのが適当である。勿論、これらの両ヒンジ受け板は、それぞれ一対の垂片でその両側後端部が支持されるものであり、金属板材で、基板及び垂片と共に一体に構成するのが適当である。なお二つのヒンジ受け板の位置関係は、当然、前記可動片に構成される可動抱え片と対応する位置関係である必要がある。具体的には、該可動片が進出した状態で、その両側の可動抱え片が、それぞれ各一対の垂片の間からヒンジ受け板上に進出した状態になる相互の位置関係である必要がある。
【００１３】
前記各ヒンジ受け板は、前記のように、その前端に前端保持片を備え、後端に補助案内片を備えるものである。前端保持片は、前記側板の下端のヒンジピンを前記ヒンジ受け板上に案内する役割及び案内後はその前方への移動を阻止すべく規制する役割を担当するものであり、そのような機能を発揮し得る限りその形状や角度等の構成は自由である。また前記補助案内片は、前記ヒンジ受け板上に前記可動片の可動抱え片をスムーズに案内するための補助部材であり、当然、該ヒンジ受け板と同一高さで基板下の方向に延長したものである。この補助案内片及び前端保持片もまた金属板材で、前記基板、垂片及びヒンジ受け板と共に一体に構成することとするのが適当である。
【００１４】
前記可動片の中央部を構成する操作部は、前記のように、一対のバネ部材の作用によって、通常、前記一対のヒンジ受け板の間に突出し、このとき、その両側の延長片に構成した可動抱え片はヒンジ受け板との間で側板の下端のヒンジピンを抱持する状態にあるが、この状態から、使用者が、該操作部を基板下側に押し込む操作をすると、これをその一部とする可動片が基板下側に後退し、これにともなって該当する側の可動抱え片も後退し、これに保持されていたヒンジピンの動きが自由となり、該ヒンジピンを下端に備えた側板を自在に上昇させることが可能となるようになっているものである。
【００１５】
前記操作部は、そのような使用者の押し込み操作を受ける構成要素であり、これがスムーズに行われ得る構成であることが必要であり、更にこのような押し込み操作を受けた際又は押し込み状体からの復帰を許容された際にそれぞれの動作が直線的に行われ得るものである必要がある。このような観点及び操作のしやすさの観点からその形状等を決定することができる。例えば、以上のような観点から、該操作部は、両側から門型に立ち上がった操作部本体と、その前端から垂下した操作受け片とで構成するのが適当である。門型の操作部本体は、基板に容易にこれに対する案内手段を構成することが可能であり、その意味で適当である。またその前端に垂下する操作受け片もこれに対する押し込み操作を受けるには適切である。
【００１６】
前記延長片は、前記操作部の両側に、文字通り、延長する板状部材であり、その前端に配する可動抱え片を支持することを主たる役割とするものである。従ってそのような役割を十分に果たし得るものであれば良い。この延長片は、操作部及び可動抱え片と金属板材により一体に構成することができる。
【００１７】
前記可動抱え片は、前記のように、前記延長片の前端に配するものであり、具体的には、該延長片の前端から立上り、最上部から前下方に向かって立ち下がり、側面から見て逆Ｖ字状をなすものとなっている。一つには、その下面と、これの進出先であるヒンジ受け板の上面との間で側板の下端のヒンジピンを抱持状態に保持する趣旨である。もう一つは、側板を下降させると、その下端のヒンジピンが該可動抱え片の下降傾斜の外面（逆Ｖ字状の前方側の下降傾斜面）に当接しつつ下降して、これを後退動作させ、その間に該ヒンジピンをヒンジ受け板上に下降可能とする趣旨である。なおこの位置までヒンジピンが下降すると、該ヒンジピンは該可動抱え片の下降傾斜面から下端で外れ、該可動抱え片がまた前記バネ部材の作用により進出状態に復帰してその下面とヒンジ受け板の上面との間で該ヒンジピンを保持するようになる。それ故、該可動抱え片の上記逆Ｖ字状の構成は、それが可能な寸法形状であれば良いこととなる。
【００１８】
従って本発明の１のファイル用バインダの綴金具によれば、従来のそれと同様にこれをファイル用バインダの背表紙部内面に取り付けて使用できるのは云うまでもなく、その用法に従い、両側板の綴棒及び綴管に対象の書類を容易かつスムーズに綴じ、綴じた状態を確実に保持し、また綴じた書類を容易に取り外すことができる。
【００１９】
両側板の下端のヒンジピンは、各側板を下降させると、前記のように、単にそれだけの操作で、可動抱え片を後退動作させて該ヒンジピンをヒンジ受け板上に下降させ、かつこの位置までヒンジピンが下降すると、該可動抱え片がまた復帰してその下面とヒンジ受け板の上面との間で保持することができ、更に、所望の側板を外したい場合は、該当する側の操作部を押し込むと、該可動抱え片が後退するため、当該の側板を引き上げるだけでその下端のヒンジピンは該可動抱え片から外れることになり、極めて単純な操作でこれらが可能となる。そのため、書類をこの綴金具に綴じたり外したりする作業は極めて簡単に行われ得るものである。
【００２０】
また以上の可動抱え片乃至これを構成した可動片の進退動作は、前記ヒンジ受け板の後端から基板下方向に延長した補助案内片の作用により上下動なくスムーズに行い得られ、更に側板を下降させる際には、ヒンジ受け板の前端の前端保持片が、少なくともその上部を斜め上方に向けて立ち上げたものであるため、該側板の下端のヒンジピンが、これに案内されて前記可動抱え片の前部の下降傾斜面に当接する位置に導かれるので、前記のように、該可動抱え片を後退動作させる動作が自ずと行われることとなるものである。
【００２１】
また前記可動抱え片は、後退時にもその前端部は、前記各一対の垂片の間からヒンジ受け板上に僅かに進出状態にあり、常時該一対の垂片によって案内されることとなるため、より確実にかつスムーズにヒンジ受け板上に正しく進出可能となるものでもある。
【００２２】
本発明の２は、本発明の１のファイル用バインダの綴金具に於いて、前記基板の両側部の各一対の垂片に、その各々外側の垂片から前記ヒンジ受け板の側端に沿って突出する規制片であって、前記ヒンジ受け板上にヒンジピンが載った状態でこれを備えた側板が該ヒンジピンの軸方向に動くのを規制する規制片を構成したものである。
【００２３】
従って本発明の２のファイル用バインダの綴金具によれば、側板の下端の二つのヒンジピンが前記ヒンジ受け板と可動抱え片とで抱持保持されている状態で、各ヒンジピンのそれぞれ外側端が前記規制片でその軸方向への動きを規制されるため、該ヒンジピンを下端に備えた側板のその方向への動きが規制されることになる。それ故、側板の綴棒・綴管で書類を綴じた状態でその側板のガタつきがなくなり、安定した書類の保持状態が確保できる。
【００２４】
本発明の３は、本発明の１又は２のファイル用バインダの綴金具に於いて、前記各可動片の両可動抱え片の外側部に、基板の裏面側を向けて突出させ、その先端を小円板状に形成したバネ端連結部を構成し、他方、前記バネ部材として、コイルバネを採用し、二つのコイルバネの両端を、各々二つの可動片の相互に対称の位置に位置するバネ端連結部相互の先端に外装結合することとしたものである。
【００２５】
前記バネ端連結部は、それぞれ僅かに外側方向に傾けて構成し、基板の裏面側で対称状態に配された可動片間に配されるコイルバネの両端がそれぞれ対応するバネ端連結部に外装嵌合した際に、自ずと外側に膨らむ部分円弧状をなすようにしておくのがよい。そしてこのように膨らんだ外側は、基板に構成した規制部に当接させ、これによってそれ以上の膨らみが生じないように規制するのが適当である。この規制部としては、例えば、基板の両端に構成する脚板部への下降傾斜部又は垂下部を利用することもできる。
【００２６】
従って本発明の３のファイル用バインダの綴金具によれば、基板の裏面側両側部に配した二つの可動片は、二つのコイルバネによって、その間が拡開される方向の作用力を受け、各々の可動片の動作としてみれば、それぞれが前記した進出方向の作用力を付与されるものであるが、このとき、該二つのコイルバネは、それぞれその両端が両可動片に於ける対称位置にある可動抱え片のバネ端連結部に外装状態に結合しており、かつバネ端連結部の先端が小円板状に形成されているため、該コイルバネの端部から無用に外れるような虞が少ないものとなる。
【００２７】
またバネ端連結部の向きを若干外側方向に傾け、更に基板に規制部を構成すれば、前記コイルバネを特にガイド部材等を構成しなくても安定して伸縮動作させることができることとなる。
【００２８】
本発明の４は、本発明の１、２又は３のファイル用バインダの綴金具に於いて、前記可動片の両延長片の外側端にその上端が基板の裏面に接することにより、そのガタつきを防止するガタつき防止片を立ち上げたものである。
【００２９】
従って本発明の４のファイル用バインダの綴金具によれば、前記可動片の進退移動の際に、該可動片の両外側端に位置するガタつき防止片の上端が基板の裏面に当接しながら移動することになるため、文字通り、ガタつきが防止され、滑らかな移動を実現することができる。
【００３０】
本発明の５は、本発明の１、２、３又は４のファイル用バインダの綴金具に於いて、前記可動片の両延長片の後端に変形防止片を垂下させたものである。
【００３１】
従って本発明の５のファイル用バインダの綴金具によれば、誤ってこの綴金具を取り付けたファイル用バインダを固い床に落下させたような場合でも、その可動片に容易に変形が生じないため、その進退動作が不能になるとか、異常な動きをするとか、書類を綴じた保持状態が不安定になる等の問題が生じる虞が少ないものとなる。
【００３２】
本発明の６は、本発明の１、２、３、４又は５のファイル用バインダの綴金具に於いて、前記操作部を門型の操作部本体と、その前端から垂下した操作受け片とで構成し、該操作部本体の上面に案内用突部又は凹部を構成し、他方これらと上下対応する前記基板の部位に該突部又は凹部にスライド自在に嵌合する案内用凹部又は突部を構成したものである。
【００３３】
従って本発明の６のファイル用バインダの綴金具によれば、可動片の進退動作の際に、操作部を構成する操作部本体の上面の案内用突部又は凹部と基板の対応する部位の案内用凹部又は突部とがスライド自在に嵌合しているため、その直線的な移動が確保され、側板の下端の一対のヒンジピンの着脱動作が安定して確実に行われ得ることとなるものである。
【発明の効果】
【００３４】
本発明の１のファイル用バインダの綴金具によれば、従来のそれと同様にこれをファイル用バインダの背表紙部内面に取り付けて使用できるのは云うまでもなく、その用法に従い、両側板の綴棒及び綴管に対象の書類を容易かつスムーズに綴じ、綴じた状態を確実に保持し、また綴じた書類を容易に取り外すことができる。
【００３５】
本発明の２のファイル用バインダの綴金具によれば、側板の綴棒・綴管で書類を綴じた状態でその側板のガタつきがなくなり、安定した書類の保持状態が確保できる。
【００３６】
本発明の３のファイル用バインダの綴金具によれば、基板の裏面側両側部に配した二つの可動片は、二つのコイルバネによって、その間が拡開され、それぞれが進出方向の作用力を付与されるものであるが、このとき、該二つのコイルバネは、それぞれその両端が両可動片に於ける対称位置にある可動抱え片のバネ端連結部に外装状態に結合しており、かつバネ端連結部の先端が小円板状に形成されているため、該コイルバネの端部から無用に外れるような虞が少ないものとなる。
【００３７】
本発明の４のファイル用バインダの綴金具によれば、前記可動片の進退移動の際に、該可動片の両外側端に位置するガタつき防止片の上端が基板の裏面に当接スライドすることになるため、文字通り、ガタつきが防止され、滑らかな移動を実現することができる。
【００３８】
本発明の５のファイル用バインダの綴金具によれば、可動片に強い外力が加わってもこれに容易に変形が生じないため、その進退動作が不能になるとか、異常な動きをするとか、書類を綴じた保持状態が不安定になる等の問題が生じる虞が少ないものとなる。
【００３９】
本発明の６のファイル用バインダの綴金具によれば、可動片の進退動作の際にその直進性が確保され、側板の下端の一対のヒンジピンの着脱動作が安定して確実に行われ得ることとなる。
【発明を実施するための最良の形態】
【００４０】
以下に本発明の実施の形態を、図面を参照しつつ一実施例により詳細に説明する。
【実施例１】
【００４１】
実施例の綴金具は、図１及び図２に示すように、一対の側板１、１と、これらをその両側部に立ち上げる基板２と、基板２に配した保持機構であって、側板１、１をその下端に構成したヒンジピン３、３を介して保持する保持機構とで構成したものである。
【００４２】
前記側板１、１は、図１及び図２に示すように、その一方には相互に対面する側の面に一対の綴棒１ａ、１ａを備え、他方にはこれらに嵌脱自在に嵌合する一対の綴管１ｂ、１ｂを備えたものであり、更に各々の下端には、直列に二本のヒンジピン３、３を備えている。該側板１、１は、その中央下部に後記可動片９の操作部１１が進退動するための四辺形切欠１ｃが形成してあり、該四辺形切欠１ｃの分の間隔をあけて、その両側に前記二本のヒンジピン３、３を直列に配したものである。なおヒンジピン３、３の直上には、同様に、後記可動片９の可動抱え片１２が進退動するための抱持用開口部１ｄ、１ｄが開口してある。
【００４３】
前記基板２は、図１〜図３及び図５に示すように、中央の基板本体部２ａと、両端の脚板部２ｂ、２ｂと、基板本体２ａと両側の各脚板部２ｂとを繋ぐ二つの傾斜連結部２ｃ、２ｃとからなる。前記脚板部２ｂ、２ｂには、それぞれ二つずつ結合孔４、４が開口してあり、これを利用して図示しないファイル用バインダの背表紙部内面に固設することができる。これらの結合孔４、４は一定以上の力を加えると破損するようになっており、廃棄の際のファイル用バインダと綴金具との分離がし易くなっているものである。
【００４４】
前記基板本体２ａの両側部には、前記保持機構を構成する固定保持部と可動保持部の内、前者の固定保持部が構成してある。
【００４５】
該固定保持部は、図１〜図３及び図５に示すように、前記基板本体２ａの両側部に垂下した二対の垂片５、５…の各一対のそれに構成したヒンジ受け板６、６と、その各前端に斜め上方に向けて立ち上げ構成した前端保持片６ａと、該各ヒンジ受け板６の後端から基板本体２ａの裏面側方向に延長した補助案内片６ｂと、前記基板本体２ａの両側部の各一対の垂片５、５…の内の各々外側の垂片５から前記ヒンジ受け板６の側端に沿って突出させた規制片７と、基板本体２ａの両側中央部に各々下方に向かって膨出させた案内突部８、８とで構成したものである。
【００４６】
なお前記各一対の垂片５、５…の間には、後記可動片９の操作部１１が通過し得るだけの間隔の隙間をあけておき、その隙間を通じてのその進退動作を可能とする。各一対の垂片５、５の間の間隔も、同様に、後記可動片９の可動抱え片１２が通過し得る幅である必要がある。また前記各ヒンジ受け板６は、各一対の垂片５、５の下端から基板本体２ａと平行に張り出したものである。張り出し長さは、前記側板１のヒンジピン３の径を若干越える程度である。更にまた基板本体２ａの一方の側部の二対の垂片５、５…に構成した二つの規制片７、７間の間隔は、各側板１、１の下端に直列に配した二本のヒンジピン３、３の外側端間の間隔を僅かに越える程度とする。
【００４７】
前記案内突部８、８は、前記のように、それぞれ前記基板本体２ａの両側中央部に構成するものであるが、側部縁から内方に向かって後記可動片９の操作部１１の動きを直線的に案内すべく構成する。その長さは該操作部１１の動く必要のある範囲とし、幅は該操作部１１の操作部本体１１ｄの上面に構成した凹部１１ｆの幅に対応させる。
【００４８】
また前記基板本体２ａの裏面側には、特にその両側部に前記保持機構を構成する固定保持部と可動保持部の内、後者の可動保持部を構成する。
【００４９】
前記可動保持部は、図３に示すように、各々前記基板本体２ａの裏面側両側部に位置する一対の対称形の可動片９、９と、その間に配して該一対の可動片９、９を各々基板本体２ａの対応する側部外方に向かって進出させるべく作用する一対のコイルバネ１０、１０とで構成する。
【００５０】
前記各可動片９は、図３及び図４(a)、(b)に示すように、その中央に位置し、前記一対のヒンジ受け板６、６の間に進退自在に突出する操作部１１と、その両側に延長状体に配した二つの延長片１１ａ、１１ａと、該各延長片１１ａの前端に構成した逆Ｖ字状の可動抱え片１２と、両可動抱え片１２、１２の各外側端に基板本体２ａの裏面側に向けて突出させて構成したバネ端連結部１２ａ、１２ａと、両延長片１１ａ、１１ａの外側端に各々立ち上げたガタつき防止片１１ｂ、１１ｂと、両延長片１１ａ、１１ａの後端にそれぞれ垂下させた変形防止片１１ｃ、１１ｃとで構成したものである。
【００５１】
前記操作部１１は、特に図４(a)、(b)に示すように、門型の操作部本体１１ｄと、その前端から垂下した操作受け片１１ｅとで構成し、該操作部本体１１ｄの上面には案内用の凹部１１ｆを構成し、これを、図３に示すように、上下対応する前記基板本体２ａ両側中央部に構成した案内突部８、８にスライド自在に嵌合させることとする。
【００５２】
前記可動抱え片１２は、前記のように、逆Ｖ字状をなすものであり、より詳しく述べれば、図４(a)、(b)に示すように、前記延長片１１ａの前端から立上り、最上部から前下方に向かって立ち下がる構成となっている。その逆Ｖ字状の部分の内角は４０度以下、この実施例では３５度とした。
【００５３】
その逆Ｖ字状の構成は、一つにはその下面と、その進出先であるヒンジ受け板６の上面との間で側板１の下端のヒンジピン３を抱持状態に保持すべく機能するものあり、もう一つは、側板１を下降させた際に、その下端のヒンジピン３が該可動抱え片１２の下降傾斜の外面（逆Ｖ字状の前方側の下降傾斜面）に当接しつつ下降して、これを基板本体２ａの裏面側に後退動作させ、その間に該ヒンジピン３をヒンジ受け板６上に下降可能とすべく機能するものである。
【００５４】
なおこの位置までヒンジピン３が下降すると、該ヒンジピン３は該可動抱え片１２の下降傾斜面から下端で外れ、該可動抱え片１２がまた前記コイルバネ１０の作用により進出状態に復帰してその下面とヒンジ受け板６の上面との間で該ヒンジピン３を保持するようになる。
【００５５】
前記バネ端連結部１２ａ、１２ａは、図３及び図４(a)、(b)に示すように、その先端を小円板状に形成する。該バネ端連結部１２ａ、１２ａは、それぞれ僅かに外側方向に傾けて構成し、基板本体２ａの裏面側で対称状態に配された可動片９、９間に配されるコイルバネ１０、１０の両端がそれぞれ対応するバネ端連結部１２ａ、１２ａに外装嵌合した際に、自ずと外側に膨らむ部分円弧状をなすようにする。なおこのように膨らんだコイルバネ１０、１０の中央部付近の外側は、基板本体２ａと両側の脚板部２ｂ、２ｂとを繋ぐ傾斜連結部２ｃ、２ｃに当接し、これによって、それ以上の膨らみが生じないように規制されることになる。
【００５６】
前記ガタつき防止片１１ｂ、１１ｂは、その上端が基板本体２ａの裏面に接する高さに構成する。これによって可動片９の進退動作又は停止状態でのガタつきを防止する趣旨である。また前記変形防止片１１ｃ、１１ｃは、これによって可動片９を補強する趣旨である。
【００５７】
なお基板本体２ａの中央部に長さ方向に沿って下方に膨らませた膨出部２ｄは補強用のものであり、その両側で長さ方向に沿って下方に膨らませた突条部２ｅ、２ｅは、同様に補強用であると共に、前記可動片９、９の後退限度を規制する作用を担当するものである。
【００５８】
従ってこの実施例のファイル用バインダの綴金具によれば、云うまでもなく、従来のそれと同様にファイル用バインダの背表紙部内面に取り付けて使用できるものであり、かつ両側板１、１の綴棒１ａ、１ａ及び綴管１ｂ、１ｂに対象の書類を容易かつスムーズに綴じ、綴じた状態を確実に保持し、また綴じた書類を容易に取り外すことができる。更にそれらの操作がガタつきなくスムーズに行えるものであり、加えて強度的にも優れ、例えば、机の上から固い床上等に落下させても容易にその変形が生じるようなこともない。
【００５９】
両側板１、１の下端のヒンジピン３、３は、側板１を、図６(a)に示すように、保持機構から外れて上部に引き上げてある状態から下降させると、図６(b)に示すように、これが可動抱え片１２、１２の前部側の外面に当接し、更に下降させると、その外側の前端保持片６ａ、６ａにも同時に当接し、それらの作用により、図６(c)に示すように、該可動抱え片１２、１２を基板本体２ａの裏面側に後退動作させることになり、図６(d)に示すように、該ヒンジピン３、３はヒンジ受け板６、６上に下降することとなる。
【００６０】
側板１を、前記のように、図６(a)の状態から下降させた場合、そのヒンジピン３、３は、綴棒１ａ、１ａと綴管１ｂ、１ｂとの嵌合深さの具合によっては、初めに前記前端保持片６ａ、６ａに当接し、更に下降して可動抱え片１２、１２の前部側の外面にも同時に当接することとなることもあり、或いは、同様の場合、初めから前記前端保持片６ａ、６ａと可動抱え片１２、１２の前部側の外面とに同時に当接することとなることもある。いずれにしても、その後の動作は、同様であり、可動抱え片１２、１２が基板本体２ａの裏面側に後退し、ヒンジピン３、３は、ヒンジ受け板６、６上に下降できることとなる。
【００６１】
こうしてヒンジピン３、３がヒンジ受け板６、６上に下降すると、前記可動抱え片１２、１２は、その復帰動作を妨げるものがなくなるので、図６(d)に示すように、またヒンジ受け板６、６上に復帰して、その上面と該可動抱え片１２、１２の下面との間で該ヒンジピン３、３を保持することとなる。この可動抱え片１２、１２の復帰動作が前記コイルバネ１０、１０の作用によって行われることは云うまでもない。
【００６２】
従って単に側板１を下降させるその動作だけで、その下端のヒンジピン３、３を保持機構の可動抱え片１２、１２とヒンジ受け板６、６による抱持状態に導くことができる。
【００６３】
また所望の側板１のヒンジピン３、３を保持機構の可動抱え片１２、１２とヒンジ受け板６、６とによる抱持状態から外したい場合は、該当する側の操作部１１を基板本体２ａの裏面側に押し込むと、該可動抱え片１２、１２がコイルバネ１０、１０に抗して後退することになるため、次いで、当該の側板１を引き上げるだけでその下端のヒンジピン３、３を該可動抱え片１２、１２から外すことができることになる。
【００６４】
従って側板１の下端のヒンジピン３、３を保持機構の可動抱え片１２、１２とヒンジ受け板６、６に抱持状態に導く場合は、単に当該の側板１を下降させるのみの、またヒンジピン３、３をその状態から外す場合は、操作部１１を押し込み操作した上で、当該の側板１を引き上げる操作をするのみの、いずれも極めて単純な操作で可能となる。そのため、書類をこの綴金具に綴じたり外したりする作業は極めて簡単に行われ得るものである。
【００６５】
また以上の可動抱え片１２、１２乃至これを構成した可動片９、９の進退動作は、操作部１１の操作部本体１１ｄに構成した案内用の凹部１１ｆとこれをスライド自在に嵌合させた基板本体２ａの案内突部８、８との作用により、直進性が確保され、更に前記ヒンジ受け板６、６の後端から基板本体２ａの裏面側方向に延長した補助案内片６ｂ、６ｂの作用により、該可動抱え片１２、１２を構成した可動片９の上下動のないスムーズな動作が確保され、更にこれは可動片９の両側端に構成したガタつき防止片１１ｂ、１１ｂによっても確保され、より安定して確実に行われ、使いやすいものとなる。
【００６６】
更に側板１、１は、そのヒンジピン３、３が前記可動抱え片１２、１２及びヒンジ受け板６、６で抱持状態に保持されている場合に、基板本体２ａに安定して保持され、書類の綴じた状態の安定性を確保できる。即ち、二つのヒンジピン３、３の側端が規制片７、７で規制され、その軸方向の動きが制限されるため、側板１、１のガタつきがなくなるからである。
【００６７】
また更に、前記可動片９の両延長片１１ａ、１１ａの後端に変形防止片１１ｃ、１１ｃを垂下させ、基板本体２ａに膨出部２ｄ及び突条部２ｅを構成したためそれぞれ強度の高いものとなり、誤ってこの綴金具を取り付けたファイル用バインダを固い床に落下させたような場合でも、その可動片９、９や基板本体２ａに容易に変形を生じさせない。そのため該可動片９、９の進退動作が不能になるとか、異常な動きをするとか、書類を綴じた保持状態が不安定になる等の問題が生じる等の虞が少ないものとなる。
【図面の簡単な説明】
【００６８】
【図１】一対の側板の内の一方の側板を外した状態の綴金具の斜視図。
【図２】一対の側板の双方を外した状態の綴金具の斜視図。
【図３】一対の可動片及びコイルバネを取り付けた状態の基板の斜視図。
【図４】(a)一対の可動片の斜視図。  (b)一対の可動片とその間に配したコイルバネとの斜視図。
【００６９】
【図５】基板の裏面側から見た斜視図。
【図６】(a)側板を、そのヒンジピンを保持機構から外して基板本体の上方に引き上げた状態の側板と基板との一部切欠断面図。  (b)側板を下降させ、そのヒンジピンを保持機構の可動抱え片の前方側外面に当接させた状態の側板と基板との一部切欠断面図。  (c)保持機構の可動抱え片の前方側外面に当接させたヒンジピンを更に下降させ、該可動抱え片を基板本体の裏面側に押し込んだ状態の側板と基板との一部切欠断面図。  (d)ヒンジピンが保持機構に抱持保持された状態の側板と基板との一部切欠断面図。
【符号の説明】
【００７０】
１    側板
１ａ  綴棒
１ｂ  綴管
１ｃ  四辺形切欠
１ｄ  抱持用開口部
２    基板
２ａ  基板本体部
２ｂ  脚板部
２ｃ  傾斜連結部
２ｄ  膨出部
２ｅ  突条部
３    ヒンジピン
４    結合孔
【００７１】
５    垂片
６    ヒンジ受け板
６ａ  前端保持片
６ｂ  補助案内片
７    規制片
８    案内突部
９    可動片
１０  コイルバネ
１１  操作部
１１ａ  延長片
１１ｂ  ガタつき防止片
１１ｃ  変形防止片
１１ｄ  操作部本体
１１ｅ  操作受け片
１１ｆ  凹部
１２  可動抱え片
１２ａ  バネ端連結部
【図１】
2005041111.tif 000003
【図２】
2005041111.tif 000004
【図３】
2005041111.tif 000005
【図４】
2005041111.tif 000006
【図５】
2005041111.tif 000007
【図６】
2005041111.tif 000008